(57)【要約】【課題】使用者が把持する部分の温度上昇を抑制することができる美容器を提供する。【解決手段】美容器１は、使用者が把持するハンドル部１１と、ハンドル部１１から延出したヘッド部１２とを有している。ヘッド部１２の先端には、肌に接触させる接触面２００を備えた先端部材２が保持されている。ヘッド部１２内には、先端部材２の温度を変化させる温度調整体３と、温度調整体３を冷却するための冷却風を発生させる冷却ファン６２とが収容されている。また、ヘッド部１２は、外部空間から冷却ファン６２へ冷却風を供給する吸気孔７１と、冷却ファン６２を通過した冷却風を外部空間へ排出する排気孔７２とを備えた通気壁部７を有している。【選択図】図６
2017221505.tif 000002
【特許請求の範囲】
【請求項１】
使用者が把持するハンドル部と、
上記ハンドル部から延出したヘッド部と、
肌に接触させる接触面を備え、上記ヘッド部の先端に保持された先端部材と、
上記ヘッド部内に収容され、上記先端部材の温度を変化させる温度調整体と、
上記ヘッド部内に収容され、上記温度調整体を冷却するための冷却風を発生させる冷却ファンとを有しており、
上記ヘッド部は、
外部空間から上記冷却ファンへ上記冷却風を供給する吸気孔と、上記冷却ファンを通過した上記冷却風を外部空間へ排出する排気孔とを備えた通気壁部を有している、美容器。
【請求項２】
上記排気孔は、上記吸気孔と上記先端部材との間に配置されている、請求項１に記載の美容器。
【請求項３】
上記ハンドル部は棒状を呈しており、上記ヘッド部は、上記ハンドル部の長手方向とは異なる方向に延びている、請求項１または２に記載の美容器。
【請求項４】
上記ハンドル部の長手方向から視て、上記通気壁部は、上記ヘッド部が延設されている側に配置されている、請求項３に記載の美容器。
【請求項５】
上記排気孔の開口面積は、上記吸気孔の開口面積よりも大きい、請求項１〜４のいずれか１項に記載の美容器。
【請求項６】
上記美容器は、更に、上記温度調整体と上記冷却ファンとの間にヒートシンクを有しており、上記ヒートシンクは、上記温度調整体側に配置されたベース板と、上記ベース板から上記冷却ファン側に向けて立設された放熱フィンとを有している、請求項１〜５のいずれか１項に記載の美容器。
【請求項７】
上記温度調整体はペルチェ素子である、請求項１〜６のいずれか１項に記載の美容器。
【発明の詳細な説明】
【技術分野】
【０００１】
本発明は、美容器に関する。
【背景技術】
【０００２】
肌の美容のために用いられる美容器は、例えば、肌の加温や冷却などの機能を有している。また、これら複数の機能を備えた美容器も知られている。例えば、特許文献１には、肌面を冷却するヘッドと、ヘッドを冷却するための熱電変換素子を含む冷却部と、冷却部に接続されるヒートシンクと、ヒートシンクに熱交換風を供給する送風手段と、これらを収容する棒状の本体ケースを備えた美容器具が記載されている。
【０００３】
冷却部及びヒートシンクは、本体ケースの一端に収容されている。また、本体ケースの一端には熱交換風をケース内部に導入する吸い込み口が設けられており、他端には熱交換風をケース外部へ排出する排出口が設けられている。吸い込み口から導入された熱交換風は、ヒートシンクと接触して熱交換を行った後、本体ケース内を通過して排出口から排出される。
【先行技術文献】
【特許文献】
【０００４】
【特許文献１】特開２０１２−１５２３０６号公報
【発明の概要】
【発明が解決しようとする課題】
【０００５】
特許文献１の美容器具は、ヘッドを冷却する際に、吸い込み口から導入された熱交換風をヒートシンクに供給することにより、熱電変換素子から発生する熱を除去する必要がある。そのため、肌の加温と冷却とを繰り返し行おうとすると、冷却を行うたびに、ヒートシンクとの熱交換によって比較的高温となった熱交換風が本体ケース内を通過する。その結果、本体ケース全体の温度の上昇を招き、本体ケースを把持する使用者に不快感を与えるおそれがある。
【０００６】
本発明は、かかる背景に鑑みてなされたものであり、使用者が把持する部分の温度上昇を抑制することができる美容器を提供しようとするものである。
【課題を解決するための手段】
【０００７】
本発明の一態様は、使用者が把持するハンドル部と、
上記ハンドル部から延出したヘッド部と、
肌に接触させる接触面を備え、上記ヘッド部の先端に保持された先端部材と、
上記ヘッド部内に収容され、上記先端部材の温度を変化させる温度調整体と、
上記ヘッド部内に収容され、上記温度調整体を冷却するための冷却風を発生させる冷却ファンとを有しており、
上記ヘッド部は、
外部空間から上記冷却ファンへ上記冷却風を供給する吸気孔と、上記冷却ファンを通過した上記冷却風を外部空間へ排出する排気孔とを備えた通気壁部を有している、美容器にある。
【発明の効果】
【０００８】
上記美容器における上記ヘッド部内には、上記接触面の温度を変化させる上記温度調整体と、上記冷却風を発生させる冷却ファンとが収容されている。また、上記ヘッド部は、上記吸気孔と、上記排気孔とを備えた上記通気壁部を有している。そのため、上記美容器内を流れる上記冷却風の経路は、概ね以下のようになる。
【０００９】
即ち、上記冷却ファンを作動させると、上記冷却風が、外部空間から上記吸気孔を経由して上記ヘッド部の内部に流入する。この冷却風は、上記冷却ファンを通過した後、上記温度調整体との熱交換により上記温度調整体を冷却する。熱交換により温度が上昇した上記冷却風は、上記ヘッド部に設けられた上記排気孔を介して上記美容器の外部に排出される。このとき、上記ハンドル部には上記排気孔が設けられていないため、熱交換により温度が上昇した上記冷却風は、上記ハンドル部内へ流入しにくくなっている。
【００１０】
このように、上記美容器によれば、温度が上昇した上記冷却風が上記ハンドル部内へ流入することを容易に抑制できる。それ故、上記美容器は、使用者が把持する上記ハンドル部の温度上昇を容易に抑制することができる。また、上記美容器は、上記ハンドル部の温度上昇を抑制することができるため、従来の美容器に比べて長時間に亘って連続して使用することができる。
【図面の簡単な説明】
【００１１】
【図１】実施例における、美容器及び美容器に接続された電源ユニットの斜視図である。
【図２】実施例における、美容器の上面図である。
【図３】実施例における、美容器の側面図である。
【図４】実施例における、美容器の下面図である。
【図５】実施例における、美容器の分解斜視図である。
【図６】図２のVI−VI線一部矢視断面図である。
【発明を実施するための形態】
【００１２】
上記美容器において、排気孔は、上記吸気孔と上記先端部材との間に配置されていることが好ましい。この場合には、ヘッド部内を流れる冷却風の向きが、吸気孔側から排気孔側へ向かう向きとなる。そのため、温度が上昇した冷却風がハンドル部内へ流入することをより効果的に抑制できる。それ故、ハンドル部の温度上昇をより効果的に抑制することができる。
【００１３】
上記美容器において、上記ハンドル部は棒状を呈しており、上記ヘッド部は、上記ハンドル部の長手方向とは異なる方向に延びていることが好ましい。この場合には、冷却風がヘッド部からハンドル部へ流入する際の流路抵抗がより大きくなるため、温度が上昇した冷却風がハンドル部内へ流入することをより効果的に抑制できる。その結果、ハンドル部の温度上昇をより効果的に抑制することができる。
【００１４】
上記ハンドル部の長手方向から視て、上記通気壁部は、上記ヘッド部が延設されている側に配置されていてもよい。美容器の分野においては、機能や性能とともに、外観の意匠性にも優れていることが求められる場合が多い。上記通気壁部を上記特定の位置に配置することにより、上記美容器の使用時などに、吸気孔及び排気孔を目立ちにくくすることができる。その結果、外観の意匠性をより高めることができる。また、この場合には、排気孔から排出された冷却風が使用者に当たりにくくなる。これにより、使用者に不快感を与えることを、より容易に回避することができる。
【００１５】
上記排気孔の開口面積は、上記吸気孔の開口面積よりも大きいことが好ましい。この場合には、吸気孔から取り入れる冷却風の流速をより大きくすることができる。その結果、温度調整体の冷却をより効率よく行なうことができる。
【００１６】
上記美容器は、更に、上記温度調整体と上記冷却ファンとの間にヒートシンクを有しており、上記ヒートシンクは、上記温度調整体側に配置されたベース板と、上記ベース板から上記冷却ファン側に向けて立設された放熱フィンとを有していてもよい。この場合には、冷却風と温度調整体との熱交換をより効率よく行うことができる。その結果、温度調整体の冷却をより効率よく行うことができる。
【００１７】
上記温度調整体はペルチェ素子であってもよい。この場合には、先端部材を加温する機能と先端部材を冷却する機能との両方を１つの素子で実現することができる。そのため、部品点数をより低減することができる。
【実施例】
【００１８】
上記美容器の実施例について、図を用いて説明する。図１〜図４に示すように、美容器１は、使用者が把持するハンドル部１１と、ハンドル部１１から延出したヘッド部１２とを有している。図２〜図４にヘッド部１２の先端には、肌に接触させる接触面２００を備えた先端部材２が保持されている。図６に示すように、ヘッド部１２内には、先端部材２の温度を変化させる温度調整体３と、温度調整体３を冷却するための冷却風を発生させる冷却ファン６２とが収容されている。また、図３〜図６に示すように、ヘッド部１２は、外部空間から冷却ファン６２へ冷却風を供給する吸気孔７１と、冷却ファン６２を通過した冷却風を外部空間へ排出する排気孔７２とを備えた通気壁部７を有している。
【００１９】
本例の美容器１は、図１〜図４に示すように、棒状を呈するハンドル部１１と、ハンドル部１１の長手方向における一端に設けられたヘッド部１２とを有している。図３に示すように、ヘッド部１２は、ハンドル部１１の一端から、その長手方向とは異なる方向に延びている。また、ヘッド部１２の先端には先端部材２が保持されている。
【００２０】
図１に示すように、ハンドル部１１の他端からは接続ケーブル１３が延出している。接続ケーブル１３は、美容器１とは別体に構成された電源ユニット１００に接続されている。本例の電源ユニット１００は、接続ケーブル１３を介して美容器１に電力を供給する機能を有している。
【００２１】
以下において、ハンドル部１１の長手方向に平行な方向を美容器１の前後方向Ｘといい、前後方向Ｘにおけるヘッド部１２側を前方Ｘ１、接続ケーブル１３側を後方Ｘ２ということがある。また、美容器１を前方Ｘ１から見たときに、ヘッド部１２が延在している方向を上下方向Ｚといい、上下方向Ｚにおけるハンドル部１１側を上方Ｚ１、先端部材２側を下方Ｚ２ということがある。また、前後方向Ｘ及び上下方向Ｚの双方に直交する方向を幅方向Ｙということがある。これらの美容器１の方向に関する表示は全て便宜上のものであり、美容器１を実際に使用する際の向きとは何ら関係がない。
【００２２】
図５に示すように、美容器１の外壁５は、ハンドル上部５１、ハンドル下部５２、ヘッド上部５３及びヘッド下部５４の４つの部品を有している。ハンドル上部５１はハンドル部１１の上方Ｚ１の外壁を構成しており、ハンドル下部５２は下方Ｚ２の外壁を構成している。また、ヘッド上部５３はヘッド部１２の上方Ｚ１の外壁を構成しており、ヘッド下部５４は下方Ｚ２の外壁を構成している。
【００２３】
図３及び図４に示すように、通気壁部７は、ハンドル部１１の長手方向（前後方向Ｘ）から視て、ヘッド部１２が延設されている側（下方Ｚ２）に配置されている。具体的には、本例の通気壁部７は、図４に示すように、ヘッド下部５４における幅方向Ｙの中央部に配置されている。
【００２４】
通気壁部７は、複数の吸気孔７１と、複数の排気孔７２とを有している。また、図３及び図４に示すように、排気孔７２は、吸気孔７１と先端部材２との間に配置されている。より具体的には、本例の通気壁部７は、３列の吸気孔列７１１と、これらの吸気孔列７１１よりも先端部材２側に配置された４列の排気孔列７２１とを有している。
【００２５】
図４に示すように、３列の吸気孔列７１１は、ヘッド部１２の延設方向に互いに間隔をあけて配置されている。各吸気孔列７１１は、幅方向Ｙに間隔をあけて並んだ複数の吸気孔７１から構成されている。また、４列の排気孔列７２１は、ヘッド部１２の延設方向に互いに間隔をあけて配置されている。各排気孔列７２１は、幅方向Ｙに間隔をあけて並んだ複数の排気孔７２から構成されている。
【００２６】
個々の吸気孔７１及び排気孔７２は、ヘッド部１２の延設方向に伸びた長円状を呈している。吸気孔７１の長さは、先端部材２に近い吸気孔７１ほど長くなっている。一方、排気孔７２の長さは、先端部材２に近い排気孔７２ほど短くなっている。
【００２７】
本例における排気孔７２の数は、吸気孔７１の数よりも多い。また、排気孔７２の総開口面積、即ち各排気孔７２の開口面積の合計は、吸気孔７１の総開口面積、即ち各吸気孔７１の開口面積の合計よりも大きくなっている。
【００２８】
図６に示すように、ヘッド部１２の先端には、先端部材２が保持されている。また、ヘッド部１２の内部には、超音波振動子２３と、伝熱部材４と、温度調整体３と、スペーサ３１と、放熱プレート６と、ヒートシンク６１と、冷却ファン６２とが収容されている。図５に示すように、先端部材２、伝熱部材４、スペーサ３１、放熱プレート６は、この順に積層されている。これらの部品は、図５及び図６に示すように、放熱プレート６に挿通されたネジ６３により、一体に締結されている。
【００２９】
図５及び図６に示すように、先端部材２は、接触面２００を備えた板状部２０と、板状部２０の外周縁部２２からヘッド部１２の内側に向けて立設された突出部２２１とを有している。板状部２０は、その厚み方向から視た平面視において円形を呈している。
【００３０】
図６に示すように、板状部２０における接触面２００の裏側の面には、接着材（図示略）を介して超音波振動子２３が接着されている。図６に示すように、超音波振動子２３は、板状部２０の厚み方向から視た平面視において、先端部材２の中央に配置されている。本例の超音波振動子２３は、周波数３ＭＨｚの超音波振動を発振することができる。本例の美容器１は、この超音波振動が接触面２００に伝わることにより、接触面２００を肌に接触させた状態で、肌に超音波振動を付与することができる。
【００３１】
図６に示すように、突出部２２１には、放熱プレート６、スペーサ３１及び伝熱部材４にそれぞれ設けられた貫通孔（図示略）を介してネジ６３が挿入されている。また、図６に示すように、突出部２２１は、伝熱部材４に当接している。
【００３２】
伝熱部材４は、温度調整体３と板状部２０とを含む熱伝導経路の一部を構成している。本例の伝熱部材４は、空隙を介して超音波振動子２３に対面する伝熱板部４１を有している。伝熱板部４１における超音波振動子２３側と反対側（上方Ｚ１）の面には、温度調整体３が保持されている。伝熱板部４１の外周には、伝熱板部４１よりも肉厚の薄い薄肉部４２が連なっている。薄肉部４２は、先端部材２の突出部２２１と、スペーサ３１との間に狭持されている。また、薄肉部４２には、放熱プレート６と先端部材２とを締結するためのネジ６３が挿通されている。
【００３３】
また、本例の伝熱部材４は、温度調整体３と伝熱板部４１との間に狭持された熱伝導シート４１１を有している。熱伝導シート４１１は、可撓性を有し、熱伝導率の高い材料から構成されている。
【００３４】
図６に示すように、温度調整体３は、伝熱板部４１の中央に配置されており、熱伝導シート４１１と放熱プレート６との間に狭持されている。
【００３５】
本例の温度調整体３は、ペルチェ素子である。ペルチェ素子は、板状部２０を加温する機能及び冷却する機能の両方を備えている。本例のペルチェ素子は、板状部２０を加温する際には、接触面２００の温度を３５〜３９℃の範囲で調整することができる。また、板状部２０を冷却する際には、接触面２００の温度を１４〜１８℃の範囲で調整することができる。
【００３６】
温度調整体３の周囲には、環状を呈するスペーサ３１が配置されている。スペーサ３１における内周縁部３１１、即ち温度調整体３側の縁部は、温度調整体３と略同一の厚みを有している。これにより、先端部材２と放熱プレート６とを締結した状態において、温度調整体３に過度に高い圧力が加わることを防止することができる。
【００３７】
本例のスペーサ３１の外周縁部３１２は、ネジ６３を挿通する貫通孔（図示略）を有するとともに、内周縁部３１１よりも肉厚が厚くなっている。スペーサ３１の外周縁部３１２は、伝熱部材４の薄肉部４２と放熱プレート６との間に狭持されている。美容器１の組立作業中に、スペーサ３１の外周縁部３１２と、伝熱部材４の薄肉部４２及び放熱プレート６に設けられた薄肉部６０（後述）とを係合させることにより、伝熱板部４１、スペーサ３１及び放熱プレート６の位置決め作業を容易に行うことができる。
【００３８】
放熱プレート６は、ネジ６３によって先端部材２に締結されている。放熱プレート６における上方Ｚ１の面には、ヒートシンク６１が当接している。また、放熱プレート６における下方Ｚ２の面の中央部には、温度調整体３が当接している。放熱プレート６における下方Ｚ２の面の外周縁部には、中央部よりも肉厚の薄い薄肉部６０が設けられている。薄肉部６０は、スペーサ３１の外周縁部３１２に係合されている。
【００３９】
ヒートシンク６１は、放熱プレート６に当接するベース板６１１と、ベース板６１１から冷却ファン６２側に向けて立設された放熱フィン６１２とを有している。ヒートシンク６１は、ヘッド上部５３及びヘッド下部５４の内壁面からそれぞれ突出したヒートシンク保持部５３１、５４１により、ハンドル部１１側への変位が規制されている。これにより、ヒートシンク６１が放熱プレート６に押し付けられている。
【００４０】
冷却ファン６２は、ヒートシンク６１の上方Ｚ１に配置されている。図には示さないが、本例の冷却ファン６２は、制御基板１４（後述）と電気的に接続されている。また、冷却ファン６２は、ヒートシンク６１側へ冷却風を送風する向きに配置されている。
【００４１】
図３〜図６に示すように、ヘッド下部５４における冷却ファン６２に対面する部分には、多数の吸気孔７１が設けられている。また、ヘッド下部５４におけるヒートシンク６１に対面する部分には、多数の排気孔７２が設けられている。
【００４２】
ハンドル部１１の内部には、美容器１の動作を制御する制御基板１４が配置されている。図には示さないが、制御基板１４は、接続ケーブル１３と電気的に接続されている。また、図５に示すように、制御基板１４には、前後方向Ｘに一列に並んだ３個の切り替えスイッチ１４１（１４１ａ、１４１ｂ、１４１ｃ）が設けられている。これらの切り替えスイッチ１４１は、ハンドル上部５１に露出した操作キー５１１（図１、図２及び図５参照）を介して押下することができる。切り替えスイッチ１４１ａ、１４１ｂ、１４１ｃは、それぞれ、超音波振動の発生と停止との切り替え、温度調整体３における加温動作の実施と停止との切り替え及び冷却動作と実施と停止との切り替えを行う機能を有している。
【００４３】
即ち、本例の美容器１は、操作キー５１１を押下することにより、接触面２００を超音波振動させる動作、接触面２００を加温する動作または接触面２００を冷却する動作のいずれかを選択して実行することができる。また、図５に示すように、制御基板１４には、これらの動作の種類に応じたパターンで点灯する上側発光部１４２が設けられている。上側発光部１４２から発生した光は、キーハウジング５１２及びキーホルダー５１３（後述）の貫通孔５１４、５１５を介して、ハンドル上部５１に設けられた上側表示部５１６（図２、図５参照）に導かれる。なお、本例の上側発光部１４２は、ＬＥＤ（発光ダイオード）である。
【００４４】
図５に示すように、操作キー５１１と制御基板１４との間には、操作キー５１１を収容するキーハウジング５１２と、キーハウジング５１２を収容するキーホルダー５１３とが配置されている。キーホルダー５１３は、ネジ（図示略）によりハンドル下部５２に締結されている。
【００４５】
制御基板１４の下方Ｚ２には、下側発光部１５と、下側発光部１５を保持する発光部カバー１６とが配置されている。下側発光部１５は、制御基板１４と電気的に接続されており、美容器１の動作の種類に応じたパターンで点灯するように構成されている。発光部カバー１６は、ネジ（図示略）によりハンドル上部５１に締結されている。また、発光部カバー１６は、図４に示すように、ハンドル部１１の下方Ｚ２に露出した窓部１６１を有している。下側発光部１５から発生した光は、発光部カバー１６の窓部１６１に導かれる。なお、本例の下側発光部１５は、ＬＥＤ（発光ダイオード）である。
【００４６】
本例の美容器の作用効果を説明する。美容器１におけるヘッド部１２内には、接触面２００の温度を変化させる温度調整体３と、冷却風を発生させる冷却ファン６２とが収容されている。また、ヘッド部１２は、吸気孔７１と、排気孔７２とを備えた通気壁部７を有している。そのため、冷却ファン６２を作動させることにより、吸気孔７１、冷却ファン６２、ヒートシンク６１及び排気孔７２を含む経路に冷却風を流通させることができる。そして、ハンドル部１１には排気孔７２が設けられていないため、ヒートシンク６１との熱交換により温度が上昇した冷却風が、ハンドル部１１内へ流入しにくくなっている。その結果、ハンドル部の温度上昇を抑制することができる。
【００４７】
また、排気孔７２は、吸気孔７１と先端部材２との間に配置されている。さらに、ハンドル部１１は棒状を呈しており、ヘッド部１２は、ハンドル部１１の長手方向とは異なる方向に延びている。これらの結果、温度が上昇した冷却風がハンドル部１１内へ流入することをより効果的に抑制できる。それ故、ハンドル部１１の温度上昇をより効果的に抑制することができる。
【００４８】
また、ハンドル部１１の長手方向から視て、通気壁部７は、ヘッド部１２が延設されている側（下方Ｚ２）に配置されている。そのため、美容器１の使用時などに、吸気孔７１及び排気孔７２を目立ちにくくすることができる。その結果、外観の意匠性をより高めることができる。
【００４９】
また、排気孔７２の総開口面積は、吸気孔７１の総開口面積よりも大きい。そのため、吸気孔７１から取り入れる冷却風の流速をより大きくすることができる。その結果、温度調整体３の冷却をより効率よくおこなうことができる。
【００５０】
また、美容器１は、温度調整体３と冷却ファン６２との間にヒートシンク６１を有しており、ヒートシンク６１は、温度調整体３側に配置されたベース板６１１と、ベース板６１１から冷却ファン６２側に向けて立設された放熱フィン６１２とを有している。そのため、冷却風と温度調整体３との熱交換をより効率よく行うことができる。その結果、温度調整体３の冷却をより効率よく行うことができる。
【００５１】
温度調整体３はペルチェ素子である。そのため、先端部材２を加温する機能と先端部材２を冷却する機能との両方を１つの素子で実現することができる。そのため、部品点数をより低減することができる。
【００５２】
このように、美容器１によれば、温度が上昇した冷却風がハンドル部１１内へ流入することを容易に抑制できる。それ故、美容器１は、ハンドル部１１の温度上昇を容易に抑制することができる。
【００５３】
本例の美容器１は、図１に示すように、接続ケーブル１３を介して電源ユニット１００に接続されている。本例の電源ユニット１００には、美容器１とは別の機能を有する第２美容器８が搭載されている。
【００５４】
第２美容器８は、棒状を呈する本体８１と、本体８１から延設された２本の支持軸（図示略）と、２本の支持軸に回転可能に支持された回転体８２とを有している。２本の支持軸は、本体８１の長手方向における一端を基端として、本体８１から遠ざかるにつれて互いの間隔が開くように延設されている。
【００５５】
各支持軸に支持された回転体８２の表面には、主電極８２１が設けられている。また、本体８１の内部には、電源からの電力を主電極８２１に供給する給電装置と、給電装置からの電力供給を制御する制御装置とが設けられている。給電装置は、本体８１の長手方向における他端から延出したケーブル８３を介して、本体８１とは別体に構成された補助電極８４に電気的に接続されている。
【００５６】
制御装置は、主電極８２１及び補助電極８４を肌に接触させた状態において、主電極８２１、補助電極８４、給電装置及び人体を含む閉回路にイオン導入電流またはイオン導出電流を流すことができるように構成されている。
【００５７】
第２美容器８を使用する際、回転体８２を肌に押し当てた状態で本体８１を肌に沿って移動させることにより、回転体８２の回転に伴って、肌が手で摘み上げられるように変形させることができる。これにより、高いマッサージ効果を体感させることができる。また、この場合には、回転体８２の回転に伴って、回転体８２と肌との振動板部積を容易に広くするとともに、肌表面の角質層を引き伸ばし、角質層を薄くすることができる。これらの結果、イオン導入及びイオン導出をより効率的に行うことができる。
【００５８】
本発明に係る美容器１の態様は、上述した実施例の態様に限定されるものではなく、本発明の趣旨を損なわない範囲で適宜その構成を変更することができる。
【００５９】
例えば、上記実施例においては、電源ユニット１００を美容器１とは別体に構成した例を示したが、美容器１の内部に電源が収容されていてもよい。この場合には、例えば、美容器１の内部に電源としての電池を収容し、電池を制御基板１４に接続することにより、肌に超音波振動を付与する機能、肌を加温する機能及び肌を冷却する機能を実現することができる。
【００６０】
美容器１の内部に収容する電池は、一次電池であってもよく、二次電池であってもよい。二次電池を用いる場合には、二次電池の充電を行う方法として公知の態様を採用することができる。例えば、電源ユニット１００と美容器１とを接続ケーブル１３を介して接続した際に充電を行う構成を採用することができる。また、電源ユニット１００に美容器１を載置した際に、電源ユニット１００に設けた充電接点と美容器１に設けた充電端子とを当接させることにより、充電を行う構成とすることもできる。さらに、充電器内に設けた送電コイルから美容器１内に設けた受電コイルへ電力を送信し、非接触充電を行う構成としてもよい。
【符号の説明】
【００６１】
１  美容器
１１  ハンドル部
１２  ヘッド部
２  先端部材
２００  接触面
３  温度調整体
６２  冷却ファン
７  通気壁部
７１  吸気孔
７２  排気孔
【図１】
2017221505.tif 000003
【図２】
2017221505.tif 000004
【図３】
2017221505.tif 000005
【図４】
2017221505.tif 000006
【図５】
2017221505.tif 000007
【図６】
2017221505.tif 000008